(57)【要約】      （修正有）【課題】基地局と、第１のワイヤレスモード及び第２のワイヤレスモードのうちの少なくとも一方を使用して基地局と選択的に通信するワイヤレス送受話機を提供する。【解決手段】第１のワイヤレス信号を第１のワイヤレスモードで送受信し、第２のワイヤレス信号を該第１のワイヤレスモードよりも広い範囲及び高い動作パワーを有する第２のワイヤレスモードで送受信するワイヤレス送受信器モジュールと、該ワイヤレス送受信器モジュールと通信し、該送受話機を前記第１のワイヤレスモードと前記第２のワイヤレスモードの間で切り替える制御モジュールと、を備える、電話システムのワイヤレス送受話機。【選択図】図２
2006304268.tif 000002
【特許請求の範囲】
【請求項１】
第１のワイヤレス信号を第１のワイヤレスモードで送受信し、第２のワイヤレス信号を該第１のワイヤレスモードよりも広い範囲及び高い動作パワーを有する第２のワイヤレスモードで送受信するワイヤレス送受信器モジュールと、
該ワイヤレス送受信器モジュールと通信し、該送受話機を前記第１のワイヤレスモードと前記第２のワイヤレスモードの間で切り替える制御モジュールと、
を備える、電話システムのワイヤレス送受話機。
【請求項２】
前記ワイヤレス送受話機の前記制御モジュールは、該ワイヤレス送受話機を前記第１のワイヤレスモードと前記第２のワイヤレスモードの間で選択的に遷移させる、請求項１に記載の電話システムのワイヤレス送受話機。
【請求項３】
前記制御モジュールは、前記ワイヤレス送受信器モジュールが受信するワイヤレスモード制御信号に応答して、前記ワイヤレス送受話機を前記第１のワイヤレスモードと前記第２のワイヤレスモードの間で遷移させる、請求項１に記載の電話システムのワイヤレス送受話機。
【請求項４】
請求項２に記載のワイヤレス送受話機を備えるとともに基地局をさらに備え、該基地局は、該基地局を前記第１のワイヤレスモードと前記第２のワイヤレスモードの間で選択的に遷移させるとともに、前記ワイヤレスモード制御信号を生成する制御モジュールを備える、システム。
【請求項５】
前記ワイヤレス送受話機の前記制御モジュールは、前記基地局と該ワイヤレス送受話機の間のワイヤレス信号強度に基づいて前記第１のワイヤレスモード及び前記第２のワイヤレスモードのうちの一方を動作のために選択する、請求項２に記載の電話システムのワイヤレス送受話機。
【請求項６】
前記基地局の前記制御モジュールは、前記ワイヤレス送受話機と該基地局の間のワイヤレス信号強度に基づいて前記第１のワイヤレスモード及び前記第２のワイヤレスモードのうちの一方を動作のために選択する、請求項４に記載のシステム。
【請求項７】
前記ワイヤレス送受話機の前記制御モジュールは、前記基地局と該ワイヤレス送受話機の間のデータエラーレートに基づいて前記第１のワイヤレスモード及び前記第２のワイヤレスモードのうちの一方を動作のために選択する、請求項２に記載の電話システムのワイヤレス送受話機。
【請求項８】
前記基地局の前記制御モジュールは、前記ワイヤレス送受話機と該基地局の間のデータエラーレートに基づいて前記第１のワイヤレスモード及び前記第２のワイヤレスモードのうちの一方を動作のために選択する、請求項４に記載のシステム。
【請求項９】
前記第１のワイヤレスモードはＢｌｕｅｔｏｏｔｈに準拠する、請求項１に記載の電話システムのワイヤレス送受話機。
【請求項１０】
前記第２のワイヤレスモードは９００ＭＨｚ、２．４ＧＨｚ、及び／又は５．８ＧＨｚのうちの少なくとも１つで動作する、請求項１に記載の電話システムのワイヤレス送受話機。
【請求項１１】
前記第１のワイヤレスモード又は前記第２のワイヤレスモードのうちの少なくとも一方はＩＥＥＥ８０２．１１、８０２．１１ａ、８０２．１１ｂ、８０２．１１ｇ、及び８０２．１１ｎに準拠する、請求項１に記載の電話システムのワイヤレス送受話機。
【請求項１２】
前記ワイヤレス送受信器モジュールは、
前記制御モジュールと通信し、前記第１のワイヤレスモードを使用してワイヤレス信号を送受信する第１の送受信器と、
前記制御モジュールと通信し、前記第２のワイヤレスモードを使用してワイヤレス信号を送受信する第２の送受信器と、
を備える、請求項１に記載の電話システムのワイヤレス送受話機。
【請求項１３】
前記ワイヤレス送受信器モジュールは、前記制御モジュールと通信し、前記第１のワイヤレスモード又は前記第２のワイヤレスモードを使用してワイヤレス信号を選択的に送受信する送受信器を備える、請求項１に記載の電話システムのワイヤレス送受話機。
【請求項１４】
第１のワイヤレス信号を第１のワイヤレスモードで送受信し、第２のワイヤレス信号を該第１のワイヤレスモードよりも広い範囲及び高い動作パワーを有する第２のワイヤレスモードで送受信するワイヤレス送受信器手段と、
該ワイヤレス送受信器手段と通信し、該送受話機を前記第１のワイヤレスモードと前記第２のワイヤレスモードの間で切り替える制御手段と、
を備える、電話システムのワイヤレス送受話機。
【請求項１５】
前記ワイヤレス送受話機の前記制御手段は、該ワイヤレス送受話機を前記第１のワイヤレスモードと前記第２のワイヤレスモードの間で選択的に遷移させる、請求項１４に記載の電話システムのワイヤレス送受話機。
【請求項１６】
前記制御手段は、前記ワイヤレス送受信器手段が受信するワイヤレスモード制御信号に応答して、前記ワイヤレス送受話機を前記第１のワイヤレスモードと前記第２のワイヤレスモードの間で遷移させる、請求項１４に記載の電話システムのワイヤレス送受話機。
【請求項１７】
請求項１５に記載のワイヤレス送受話機を備えるとともに基地局をさらに備え、該基地局は、該基地局を前記第１のワイヤレスモードと前記第２のワイヤレスモードの間で選択的に遷移させるとともに、前記ワイヤレスモード制御信号を生成する制御手段を備える、システム。
【請求項１８】
前記ワイヤレス送受話機の前記制御手段は、前記基地局と該ワイヤレス送受話機の間のワイヤレス信号強度に基づいて前記第１のワイヤレスモード及び前記第２のワイヤレスモードのうちの一方を動作のために選択する、請求項１５に記載の電話システムのワイヤレス送受話機。
【請求項１９】
前記基地局の前記制御手段は、前記ワイヤレス送受話機と該基地局の間のワイヤレス信号強度に基づいて前記第１のワイヤレスモード及び前記第２のワイヤレスモードのうちの一方を動作のために選択する、請求項１７に記載のシステム。
【請求項２０】
前記ワイヤレス送受話機の前記制御手段は、前記基地局と該ワイヤレス送受話機の間のデータエラーレートに基づいて前記第１のワイヤレスモード及び前記第２のワイヤレスモードのうちの一方を動作のために選択する、請求項１５に記載の電話システムのワイヤレス送受話機。
【請求項２１】
前記基地局の前記制御手段は、前記ワイヤレス送受話機と該基地局の間のデータエラーレートに基づいて前記第１のワイヤレスモード及び前記第２のワイヤレスモードのうちの一方を動作のために選択する、請求項１７に記載のシステム。
【請求項２２】
前記第１のワイヤレスモードはＢｌｕｅｔｏｏｔｈに準拠する、請求項１４に記載の電話システムのワイヤレス送受話機。
【請求項２３】
前記第２のワイヤレスモードは９００ＭＨｚ、２．４ＧＨｚ、及び／又は５．８ＧＨｚのうちの少なくとも１つで動作する、請求項１４に記載の電話システムのワイヤレス送受話機。
【請求項２４】
前記第１のワイヤレスモード又は前記第２のワイヤレスモードのうちの少なくとも一方はＩＥＥＥ８０２．１１、８０２．１１ａ、８０２．１１ｂ、８０２．１１ｇ、及び８０２．１１ｎに準拠する、請求項１４に記載の電話システムのワイヤレス送受話機。
【請求項２５】
前記ワイヤレス送受信器手段は、
前記制御手段と通信し、前記第１のワイヤレスモードを使用してワイヤレス信号を送受信する第１の送受信器手段と、
前記制御手段と通信し、前記第２のワイヤレスモードを使用してワイヤレス信号を送受信する第２の送受信器手段と、
を備える、請求項１４に記載の電話システムのワイヤレス送受話機。
【請求項２６】
前記ワイヤレス送受信器手段は、前記制御手段と通信し、前記第１のワイヤレスモード又は前記第２のワイヤレスモードを使用してワイヤレス信号を選択的に送受信する送受信器手段を備える、請求項１４に記載の電話システムのワイヤレス送受話機。
【請求項２７】
第１のワイヤレス信号を第１のワイヤレスモードで選択的に送受信し、第２のワイヤレス信号を該第１のワイヤレスモードよりも広い範囲及び高い動作パワーを有する第２のワイヤレスモードで選択的に送受信すること、及び
前記ワイヤレス送受話機を前記第１のワイヤレスモードと前記第２のワイヤレスモードの間で切り替えること、
を含む、電話システムのワイヤレス送受話機の動作方法。
【請求項２８】
前記ワイヤレス送受話機を前記第１のワイヤレスモードと前記第２のワイヤレスモードの間で選択的に遷移させることをさらに含む、請求項２７に記載の電話システムのワイヤレス送受話機の動作方法。
【請求項２９】
前記ワイヤレス送受信器モジュールが受信するワイヤレスモード制御信号に応答して、前記ワイヤレス送受話機を前記第１のワイヤレスモードと前記第２のワイヤレスモードの間で遷移させることをさらに含む、請求項２７に記載の電話システムのワイヤレス送受話機の動作方法。
【請求項３０】
基地局を使用して前記ワイヤレスモード制御信号を生成することをさらに含む、請求項２８に記載の電話システムのワイヤレス送受話機の動作方法。
【請求項３１】
前記基地局と前記ワイヤレス送受話機の間のワイヤレス信号強度に基づいて前記第１のワイヤレスモード及び前記第２のワイヤレスモードのうちの一方を動作のために選択することをさらに含む、請求項２８に記載の電話システムのワイヤレス送受話機の動作方法。
【請求項３２】
前記ワイヤレス送受話機と前記基地局の間のワイヤレス信号強度に基づいて前記第１のワイヤレスモード及び前記第２のワイヤレスモードのうちの一方を動作のために選択することをさらに含む、請求項２７に記載の電話システムのワイヤレス送受話機の動作方法。
【請求項３３】
前記基地局と前記ワイヤレス送受話機の間のデータエラーレートに基づいて前記第１のワイヤレスモード及び前記第２のワイヤレスモードのうちの一方を動作のために選択することをさらに含む、請求項２８に記載の電話システムのワイヤレス送受話機の動作方法。
【請求項３４】
前記ワイヤレス送受話機と前記基地局の間のデータエラーレートに基づいて前記第１のワイヤレスモード及び前記第２のワイヤレスモードのうちの一方を動作のために選択することをさらに含む、請求項３０に記載の電話システムのワイヤレス送受話機の動作方法。
【請求項３５】
前記第１のワイヤレスモードはＢｌｕｅｔｏｏｔｈに準拠する、請求項２７に記載の電話システムのワイヤレス送受話機の動作方法。
【請求項３６】
前記第２のワイヤレスモードは９００ＭＨｚ、２．４ＧＨｚ、及び／又は５．８ＧＨｚのうちの少なくとも１つで動作する、請求項２７に記載の電話システムのワイヤレス送受話機の動作方法。
【請求項３７】
前記第１のワイヤレスモード又は前記第２のワイヤレスモードのうちの少なくとも一方はＩＥＥＥ８０２．１１、８０２．１１ａ、８０２．１１ｂ、８０２．１１ｇ、及び８０２．１１ｎに準拠する、請求項２７に記載の電話システムのワイヤレス送受話機の動作方法。
【発明の詳細な説明】
【技術分野】
【０００１】
本発明はワイヤレス電話システムに関し、特にデュアルモードワイヤレス電話システムに関する。
【０００２】
本出願は、２００５年４月２２日に出願された米国特許出願第１１／１１２，７１１号の継続出願であり、これを全体的に参照により本明細書に援用する。
【背景技術】
【０００３】
これより図１を参照すると、ワイヤレス電話システム１０は、１つ又は複数のワイヤレス送受話機１４−１、１４−２、…、及び１４−Ｎ（まとめてワイヤレス送受話機１４）とワイヤレス通信する基地局１２を含む。ワイヤレス送受話機１４のそれぞれは、動作中に給電する充電式バッテリ１６−１、１６−２、…、及び１６−Ｎ（まとめてバッテリ１６）を備える。基地局１２は電話回線２０により電話交換機２４に接続される。基地局１２及びワイヤレス送受話機１４は通常、ワイヤレスリンク２６を使用して通信する。たとえば、ワイヤレスリンク２６は９００ＭＨｚ、２．４ＧＨｚ、５．８ＧＨｚ、又は他の動作周波数で動作することができる。基地局１２は、有線電話として、且つ／又は留守番電話として独立して動作することができる。
【０００４】
ワイヤレス送受話機１４の範囲又は動作距離は多くの場合、ワイヤレス電話システム１０を購入するときに重要な要素であり得る。ワイヤレス送受話機１４の範囲は、ワイヤレス送受話機１４と基地局１２との間の最長動作距離である。最長距離は、壁、床、天井等、基地局とワイヤレス送受話機の間の障害物によって影響を受け得る。ワイヤレスリンク２６は短距離及び長距離の両方で通信可能でなければならないので、基地局１２及び／又はワイヤレス送受話機１４の送信器（図示せず）は、所望範囲のサポートに十分な送信パワーを有するハイパワー送信器である傾向がある。ワイヤレス送受話機１４の送信器は、使用中、バッテリ１６によって給電される。ハイパワー送信器を使用すると、バッテリの充電量が減る傾向があり、より頻繁に充電する必要がある。したがって、動作範囲とバッテリを充電してからまた次に充電するまでの動作時間とを天秤に掛けなければならない。
【発明の開示】
【課題を解決するための手段】
【０００５】
ワイヤレス電話システムは、基地局と、第１のワイヤレスモード及び第２のワイヤレスモードのうちの少なくとも一方を使用して基地局と選択的に通信するワイヤレス送受話機と、を備える。第２のワイヤレスモードは、第１のワイヤレスモードよりも広い範囲及び高い動作パワーを有する。
【０００６】
他の特徴では、基地局は、基地局を第１のワイヤレスモードと第２のワイヤレスモードの間で選択的に遷移させる制御モジュールを備える。ワイヤレス送受話機は、ワイヤレス送受話機を第１のワイヤレスモードと第２のワイヤレスモードの間で選択的に遷移させる制御モジュールを備える。制御モジュールは、基地局とワイヤレス送受話機の間のワイヤレス信号強度に基づいて第１のワイヤレスモード及び第２のワイヤレスモードのうちの一方を動作のために選択する。
【０００７】
さらに他の特徴では、制御モジュールは、ワイヤレス送受話機と基地局の間のワイヤレス信号強度に基づいて第１のワイヤレスモード及び第２のワイヤレスモードのうちの一方を動作のために選択する。制御モジュールは、基地局とワイヤレス送受話機の間のデータエラーレートに基づいて第１のワイヤレスモード及び第２のワイヤレスモードのうちの一方を動作のために選択する。制御モジュールは、ワイヤレス送受話機と基地局の間のデータエラーレートに基づいて第１のワイヤレスモード及び第２のワイヤレスモードのうちの一方を動作のために選択する。第１のワイヤレスモードはＢｌｕｅｔｏｏｔｈに準拠する。第２のワイヤレスモードは９００ＭＨｚ、２．４ＧＨｚ、及び／又は５．８ＧＨｚのうちの少なくとも１つで動作する。第１のワイヤレスモード又は第２のワイヤレスモードのうちの少なくとも一方はＩＥＥＥ８０２．１１、８０２．１１ａ、８０２．１１ｂ、８０２．１１ｇ、及び８０２．１１ｎに準拠する。
【０００８】
他の特徴では、基地局は、制御モジュールと通信し、第１のワイヤレスモードを使用してワイヤレス信号を送受信する第１の送受信器と、制御モジュールと通信し、第２のワイヤレスモードを使用してワイヤレス信号を送受信する第２の送受信器と、を備える。ワイヤレス送受話機は、制御モジュールと通信し、第１のワイヤレスモードを使用してワイヤレス信号を送受信する第１の送受信器と、制御モジュールと通信し、第２のワイヤレスモードを使用してワイヤレス信号を送受信する第２の送受信器と、を備える。基地局は、制御モジュールと通信し、第１のワイヤレスモード又は第２のワイヤレスモードを使用してワイヤレス信号を選択的に送受信する送受信器を備える。ワイヤレス送受話機は、制御モジュールと通信し、第１のワイヤレスモード又は第２のワイヤレスモードを使用してワイヤレス信号を選択的に送受信する送受信器を備える。
【０００９】
ワイヤレス電話システムは、外部電話接続を提供する基地局手段と、第１のワイヤレスモード及び第２のワイヤレスモードのうちの少なくとも一方を使用して基地局と選択的に通信するワイヤレス送受話機手段と、を備える。第２のワイヤレスモードは、第１のワイヤレスモードよりも広い範囲及び高い動作パワーを有する。
【００１０】
他の特徴では、基地局手段は、基地局手段を第１のワイヤレスモードと第２のワイヤレスモードの間で選択的に遷移させる制御手段を備える。ワイヤレス送受話機手段は、ワイヤレス送受話機手段を第１のワイヤレスモードと第２のワイヤレスモードの間で選択的に遷移させる制御手段を備える。制御手段は、基地局手段とワイヤレス送受話機手段の間のワイヤレス信号強度に基づいて第１のワイヤレスモード及び第２のワイヤレスモードのうちの一方を動作のために選択する。制御手段は、ワイヤレス送受話機手段と基地局手段の間のワイヤレス信号強度に基づいて第１のワイヤレスモード及び第２のワイヤレスモードのうちの一方を動作のために選択する。
【００１１】
他の特徴では、制御手段は、基地局手段とワイヤレス送受話機手段の間のデータエラーレートに基づいて第１のワイヤレスモード及び第２のワイヤレスモードのうちの一方を動作のために選択する。制御手段は、ワイヤレス送受話機手段と基地局手段の間のデータエラーレートに基づいて第１のワイヤレスモード及び第２のワイヤレスモードのうちの一方を動作のために選択する。第１のワイヤレスモードはＢｌｕｅｔｏｏｔｈに準拠する。第２のワイヤレスモードは９００ＭＨｚ、２．４ＧＨｚ、及び／又は５．８ＧＨｚのうちの少なくとも１つで動作する。第１のワイヤレスモード又は第２のワイヤレスモードのうちの少なくとも一方はＩＥＥＥ８０２．１１、８０２．１１ａ、８０２．１１ｂ、８０２．１１ｇ、及び８０２．１１ｎに準拠する。
【００１２】
他の特徴では、基地局手段は、制御手段と通信し、第１のワイヤレスモードを使用してワイヤレス信号を送受信する第１の送受信器手段と、制御手段と通信し、第２のワイヤレスモードを使用してワイヤレス信号を送受信する第２の送受信器手段と、を備える。
【００１３】
他の特徴では、ワイヤレス送受話機手段は、制御手段と通信し、第１のワイヤレスモードを使用してワイヤレス信号を送受信する第１の送受信器手段と、制御手段と通信し、第２のワイヤレスモードを使用してワイヤレス信号を送受信する第２の送受信器手段と、を備える。基地局手段は、制御手段と通信し、第１のワイヤレスモード又は第２のワイヤレスモードを使用してワイヤレス信号を選択的に送受信する送受信器手段を備える。ワイヤレス送受話機手段は、制御手段と通信し、第１のワイヤレスモード又は第２のワイヤレスモードを使用してワイヤレス信号を選択的に送受信する送受信器手段を備える。
【００１４】
ワイヤレス電話システムの動作方法は、基地局とワイヤレス送受話機を設けること、第１のワイヤレスモード及び第２のワイヤレスモードのうちの少なくとも一方を使用して基地局と選択的に通信すること、第１のワイヤレスモードよりも広い範囲及び高い動作パワーを有するように第２のワイヤレスモードを選択すること、を含む。
【００１５】
他の特徴では、本方法は、基地局を第１のワイヤレスモードと第２のワイヤレスモードの間で選択的に遷移させることを含む。本方法は、ワイヤレス送受話機を第１のワイヤレスモードと第２のワイヤレスモードの間で選択的に遷移させることを含む。本方法は、基地局とワイヤレス送受話機の間のワイヤレス信号強度に基づいて第１のワイヤレスモード及び第２のワイヤレスモードのうちの一方を動作のために選択することを含む。本方法は、ワイヤレス送受話機と基地局の間のワイヤレス信号強度に基づいて第１のワイヤレスモード及び第２のワイヤレスモードのうちの一方を動作のために選択することを含む。本方法は、基地局とワイヤレス送受話機の間のデータエラーレートに基づいて第１のワイヤレスモード及び第２のワイヤレスモードのうちの一方を動作のために選択することを含む。本方法は、ワイヤレス送受話機と基地局の間のデータエラーレートに基づいて第１のワイヤレスモード及び第２のワイヤレスモードのうちの一方を動作のために選択することを含む。
【００１６】
他の特徴では、第１のワイヤレスモードはＢｌｕｅｔｏｏｔｈに準拠する。第２のワイヤレスモードは９００ＭＨｚ、２．４ＧＨｚ、及び／又は５．８ＧＨｚのうちの少なくとも１つで動作する。第１のワイヤレスモード又は第２のワイヤレスモードのうちの少なくとも一方はＩＥＥＥ８０２．１１、８０２．１１ａ、８０２．１１ｂ、８０２．１１ｇ、及び８０２．１１ｎに準拠する。
【００１７】
電話システムのワイヤレス送受話機は、第１のワイヤレス信号を第１のワイヤレスモードで送受信し、第２のワイヤレス信号を第１のワイヤレスモードよりも広い範囲及び高い動作パワーを有する第２のワイヤレスモードで送受信するワイヤレス送受信器モジュールを備える。制御モジュールは、ワイヤレス送受信器モジュールと通信し、送受話機を第１のワイヤレスモードと第２のワイヤレスモードの間で切り替える。
【００１８】
他の特徴では、ワイヤレス送受話機の制御モジュールは、ワイヤレス送受話機を第１のワイヤレスモードと第２のワイヤレスモードの間で選択的に遷移させる。制御モジュールは、ワイヤレス送受信器モジュールが受信するワイヤレスモード制御信号に応答して、ワイヤレス送受話機を第１のワイヤレスモードと第２のワイヤレスモードの間で遷移させる。システムは、ワイヤレス送受話機を備えるとともに基地局をさらに備え、基地局は、基地局を第１のワイヤレスモードと第２のワイヤレスモードの間で選択的に遷移させるとともに、ワイヤレスモード制御信号を生成する制御モジュールを備える。ワイヤレス送受話機の制御モジュールは、基地局とワイヤレス送受話機の間のワイヤレス信号強度に基づいて第１のワイヤレスモード及び第２のワイヤレスモードのうちの一方を動作のために選択する。
【００１９】
他の特徴では、基地局の制御モジュールは、ワイヤレス送受話機と基地局の間のワイヤレス信号強度に基づいて第１のワイヤレスモード及び第２のワイヤレスモードのうちの一方を動作のために選択する。ワイヤレス送受話機の制御モジュールは、基地局とワイヤレス送受話機の間のデータエラーレートに基づいて第１のワイヤレスモード及び第２のワイヤレスモードのうちの一方を動作のために選択する。基地局の制御モジュールは、ワイヤレス送受話機と基地局の間のデータエラーレートに基づいて第１のワイヤレスモード及び第２のワイヤレスモードのうちの一方を動作のために選択する。
【００２０】
他の特徴では、第１のワイヤレスモードはＢｌｕｅｔｏｏｔｈに準拠する。第２のワイヤレスモードは９００ＭＨｚ、２．４ＧＨｚ、及び／又は５．８ＧＨｚのうちの少なくとも１つで動作する。第１のワイヤレスモード又は第２のワイヤレスモードのうちの少なくとも一方はＩＥＥＥ８０２．１１、８０２．１１ａ、８０２．１１ｂ、８０２．１１ｇ、及び８０２．１１ｎに準拠する。ワイヤレス送受信器モジュールは、制御モジュールと通信し、第１のワイヤレスモードを使用してワイヤレス信号を送受信する第１の送受信器と、制御モジュールと通信し、第２のワイヤレスモードを使用してワイヤレス信号を送受信する第２の送受信器と、を備える。ワイヤレス送受信器モジュールは、制御モジュールと通信し、第１のワイヤレスモード又は第２のワイヤレスモードを使用してワイヤレス信号を選択的に送受信する送受信器を備える。
【００２１】
電話システムのワイヤレス送受話機は、第１のワイヤレス信号を第１のワイヤレスモードで送受信し、第２のワイヤレス信号を第１のワイヤレスモードよりも広い範囲及び高い動作パワーを有する第２のワイヤレスモードで送受信するワイヤレス送受信器手段と、を備える。制御手段は、ワイヤレス送受信器手段と通信し、送受話機を第１のワイヤレスモードと第２のワイヤレスモードの間で切り替える。
【００２２】
他の特徴では、ワイヤレス送受話機の制御手段は、ワイヤレス送受話機を第１のワイヤレスモードと第２のワイヤレスモードの間で選択的に遷移させる。制御手段は、ワイヤレス送受信器手段が受信するワイヤレスモード制御信号に応答して、ワイヤレス送受話機を第１のワイヤレスモードと第２のワイヤレスモードの間で遷移させる。システムは、ワイヤレス送受話機を備えるとともに基地局をさらに備え、基地局は、基地局を第１のワイヤレスモードと第２のワイヤレスモードの間で選択的に遷移させるとともに、ワイヤレスモード制御信号を生成する制御手段を備える。ワイヤレス送受話機の制御手段は、基地局とワイヤレス送受話機の間のワイヤレス信号強度に基づいて第１のワイヤレスモード及び第２のワイヤレスモードのうちの一方を動作のために選択する。
【００２３】
他の特徴では、基地局の制御手段は、ワイヤレス送受話機と基地局の間のワイヤレス信号強度に基づいて第１のワイヤレスモード及び第２のワイヤレスモードのうちの一方を動作のために選択する。ワイヤレス送受話機の制御手段は、基地局とワイヤレス送受話機の間のデータエラーレートに基づいて第１のワイヤレスモード及び第２のワイヤレスモードのうちの一方を動作のために選択する。基地局の制御手段は、ワイヤレス送受話機と基地局の間のデータエラーレートに基づいて第１のワイヤレスモード及び第２のワイヤレスモードのうちの一方を動作のために選択する。第１のワイヤレスモードはＢｌｕｅｔｏｏｔｈに準拠する。第２のワイヤレスモードは９００ＭＨｚ、２．４ＧＨｚ、及び／又は５．８ＧＨｚのうちの少なくとも１つで動作する。第１のワイヤレスモード又は第２のワイヤレスモードのうちの少なくとも一方はＩＥＥＥ８０２．１１、８０２．１１ａ、８０２．１１ｂ、８０２．１１ｇ、及び８０２．１１ｎに準拠する。
【００２４】
他の特徴では、ワイヤレス送受信器手段は、制御手段と通信し、第１のワイヤレスモードを使用してワイヤレス信号を送受信する第１の送受信器手段と、制御手段と通信し、第２のワイヤレスモードを使用してワイヤレス信号を送受信する第２の送受信器手段と、を備える。ワイヤレス送受信器手段は、制御手段と通信し、第１のワイヤレスモード又は第２のワイヤレスモードを使用してワイヤレス信号を選択的に送受信する送受信器手段を備える。
【００２５】
電話システムのワイヤレス送受話機の動作方法は、第１のワイヤレス信号を第１のワイヤレスモードで選択的に送受信し、第２のワイヤレス信号を第１のワイヤレスモードよりも広い範囲及び高い動作パワーを有する第２のワイヤレスモードで選択的に送受信すること、及びワイヤレス送受話機を第１のワイヤレスモードと第２のワイヤレスモードの間で切り替えること、を含む。
【００２６】
他の特徴では、本方法は、ワイヤレス送受話機を第１のワイヤレスモードと第２のワイヤレスモードの間で選択的に遷移させることを含む。本方法は、ワイヤレス送受信器モジュールが受信するワイヤレスモード制御信号に応答して、ワイヤレス送受話機を第１のワイヤレスモードと第２のワイヤレスモードの間で遷移させることを含む。本方法は、基地局を使用してワイヤレスモード制御信号を生成することを含む。本方法は、基地局とワイヤレス送受話機の間のワイヤレス信号強度に基づいて第１のワイヤレスモード及び第２のワイヤレスモードのうちの一方を動作のために選択することを含む。本方法は、ワイヤレス送受話機と基地局の間のワイヤレス信号強度に基づいて第１のワイヤレスモード及び第２のワイヤレスモードのうちの一方を動作のために選択することを含む。本方法は、基地局とワイヤレス送受話機の間のデータエラーレートに基づいて第１のワイヤレスモード及び第２のワイヤレスモードのうちの一方を動作のために選択することを含む。本方法は、ワイヤレス送受話機と基地局の間のデータエラーレートに基づいて第１のワイヤレスモード及び第２のワイヤレスモードのうちの一方を動作のために選択することを含む。
【００２７】
他の特徴では、第１のワイヤレスモードはＢｌｕｅｔｏｏｔｈに準拠する。第２のワイヤレスモードは９００ＭＨｚ、２．４ＧＨｚ、及び／又は５．８ＧＨｚのうちの少なくとも１つで動作する。第１のワイヤレスモード又は第２のワイヤレスモードのうちの少なくとも一方はＩＥＥＥ８０２．１１、８０２．１１ａ、８０２．１１ｂ、８０２．１１ｇ、及び８０２．１１ｎに準拠する。
【００２８】
電話システムのワイヤレス基地局は、第１のワイヤレス信号を第１のワイヤレスモードで送受信し、第２のワイヤレス信号を第１のワイヤレスモードよりも広い範囲及び高い動作パワーを有する第２のワイヤレスモードで送受信するワイヤレス送受信器モジュールを備える。制御モジュールは、ワイヤレス送受信器モジュールと通信し、基地局を第１のワイヤレスモードと第２のワイヤレスモードの間で切り替える。
【００２９】
他の特徴では、ワイヤレス基地局の制御モジュールは、ワイヤレス基地局を第１のワイヤレスモードと第２のワイヤレスモードの間で選択的に遷移させる。制御モジュールは、ワイヤレス送受信器モジュールが受信するワイヤレスモード制御信号に応答して、ワイヤレス基地局を第１のワイヤレスモードと第２のワイヤレスモードの間で遷移させる。システムは、ワイヤレス基地局を備えるとともにワイヤレス送受話機をさらに備え、ワイヤレス送受話機は、ワイヤレス送受話機を第１のワイヤレスモードと第２のワイヤレスモードの間で選択的に遷移させるとともに、ワイヤレスモード制御信号を生成する制御モジュールを備える。ワイヤレス基地局の制御モジュールは、ワイヤレス送受話機と基地局の間のワイヤレス信号強度に基づいて第１のワイヤレスモード及び第２のワイヤレスモードのうちの一方を動作のために選択する。ワイヤレス送受話機の制御モジュールは、基地局とワイヤレス送受話機の間のワイヤレス信号強度に基づいて第１のワイヤレスモード及び第２のワイヤレスモードのうちの一方を動作のために選択する。基地局の制御モジュールは、ワイヤレス送受話機と基地局の間のデータエラーレートに基づいて第１のワイヤレスモード及び第２のワイヤレスモードのうちの一方を動作のために選択する。ワイヤレス送受話機の制御モジュールは、基地局とワイヤレス送受話機の間のデータエラーレートに基づいて第１のワイヤレスモード及び第２のワイヤレスモードのうちの一方を動作のために選択する。
【００３０】
他の特徴では、第１のワイヤレスモードはＢｌｕｅｔｏｏｔｈに準拠する。第２のワイヤレスモードは９００ＭＨｚ、２．４ＧＨｚ、及び／又は５．８ＧＨｚのうちの少なくとも１つで動作する。第１のワイヤレスモード又は第２のワイヤレスモードのうちの少なくとも一方はＩＥＥＥ８０２．１１、８０２．１１ａ、８０２．１１ｂ、８０２．１１ｇ、及び８０２．１１ｎに準拠する。ワイヤレス送受信器モジュールは、制御モジュールと通信し、第１のワイヤレスモードを使用してワイヤレス信号を送受信する第１の送受信器と、制御モジュールと通信し、第２のワイヤレスモードを使用してワイヤレス信号を送受信する第２の送受信器と、を備える。ワイヤレス送受信器モジュールは、制御モジュールと通信し、第１のワイヤレスモード又は第２のワイヤレスモードを使用してワイヤレス信号を選択的に送受信する送受信器を備える。
【００３１】
電話システムのワイヤレス基地局は、第１のワイヤレス信号を第１のワイヤレスモードで送受信し、第２のワイヤレス信号を第１のワイヤレスモードよりも広い範囲及び高い動作パワーを有する第２のワイヤレスモードで送受信するワイヤレス送受信器手段と、を備える。制御手段は、ワイヤレス送受信器手段と通信し、基地局を第１のワイヤレスモードと第２のワイヤレスモードの間で切り替える。
【００３２】
他の特徴では、ワイヤレス基地局の制御手段は、ワイヤレス基地局を第１のワイヤレスモードと第２のワイヤレスモードの間で選択的に遷移させる。制御手段は、ワイヤレス送受信器手段が受信するワイヤレスモード制御信号に応答して、ワイヤレス基地局を第１のワイヤレスモードと第２のワイヤレスモードの間で遷移させる。システムは、ワイヤレス基地局を備えるとともにワイヤレス送受話機をさらに備え、ワイヤレス送受話機は、ワイヤレス送受話機を第１のワイヤレスモードと第２のワイヤレスモードの間で選択的に遷移させるとともに、ワイヤレスモード制御信号を生成する制御手段を備える。
【００３３】
他の特徴では、ワイヤレス基地局の制御手段は、ワイヤレス送受話機と基地局の間のワイヤレス信号強度に基づいて第１のワイヤレスモード及び第２のワイヤレスモードのうちの一方を動作のために選択する。ワイヤレス送受話機の制御手段は、基地局とワイヤレス送受話機の間のワイヤレス信号強度に基づいて第１のワイヤレスモード及び第２のワイヤレスモードのうちの一方を動作のために選択する。基地局の制御手段は、ワイヤレス送受話機と基地局の間のデータエラーレートに基づいて第１のワイヤレスモード及び第２のワイヤレスモードのうちの一方を動作のために選択する。ワイヤレス送受話機の制御手段は、基地局とワイヤレス送受話機の間のデータエラーレートに基づいて第１のワイヤレスモード及び第２のワイヤレスモードのうちの一方を動作のために選択する。
【００３４】
他の特徴では、第１のワイヤレスモードはＢｌｕｅｔｏｏｔｈに準拠する。第２のワイヤレスモードは９００ＭＨｚ、２．４ＧＨｚ、及び／又は５．８ＧＨｚのうちの少なくとも１つで動作する。第１のワイヤレスモード又は第２のワイヤレスモードのうちの少なくとも一方はＩＥＥＥ８０２．１１、８０２．１１ａ、８０２．１１ｂ、８０２．１１ｇ、及び８０２．１１ｎに準拠する。
【００３５】
他の特徴では、ワイヤレス送受信器手段は、制御手段と通信し、第１のワイヤレスモードを使用してワイヤレス信号を送受信する第１の送受信器手段と、制御手段と通信し、第２のワイヤレスモードを使用してワイヤレス信号を送受信する第２の送受信器手段と、を備える。ワイヤレス送受信器手段は、制御手段と通信し、第１のワイヤレスモード又は第２のワイヤレスモードを使用してワイヤレス信号を選択的に送受信する送受信器手段を備える。
【００３６】
電話システムのワイヤレス基地局の動作方法は、第１のワイヤレス信号を第１のワイヤレスモードで選択的に送受信し、第２のワイヤレス信号を第１のワイヤレスモードよりも広い範囲及び高い動作パワーを有する第２のワイヤレスモードで選択的に送受信すること、及び基地局を第１のワイヤレスモードと第２のワイヤレスモードの間で切り替えること、を含む。
【００３７】
他の特徴では、本方法は、ワイヤレス基地局を第１のワイヤレスモードと第２のワイヤレスモードの間で遷移させることを含む。本方法は、ワイヤレス送受信器モジュールが受信するワイヤレスモード制御信号に応答して、ワイヤレス基地局を第１のワイヤレスモードと第２のワイヤレスモードの間で遷移させることを含む。本方法は、ワイヤレス送受話機を使用してワイヤレスモード制御信号を生成することを含む。本方法は、ワイヤレス送受話機と基地局の間のワイヤレス信号強度に基づいて第１のワイヤレスモード及び第２のワイヤレスモードのうちの一方を動作のために選択することを含む。本方法は、基地局とワイヤレス送受話機の間のワイヤレス信号強度に基づいて第１のワイヤレスモード及び第２のワイヤレスモードのうちの一方を動作のために選択することを含む。
【００３８】
他の特徴では、本方法は、ワイヤレス送受話機と基地局の間のデータエラーレートに基づいて第１のワイヤレスモード及び第２のワイヤレスモードのうちの一方を動作のために選択することを含む。本方法は、基地局とワイヤレス送受話機の間のデータエラーレートに基づいて第１のワイヤレスモード及び第２のワイヤレスモードのうちの一方を動作のために選択することを含む。
【００３９】
他の特徴では、第１のワイヤレスモードはＢｌｕｅｔｏｏｔｈに準拠する。第２のワイヤレスモードは９００ＭＨｚ、２．４ＧＨｚ、及び／又は５．８ＧＨｚのうちの少なくとも１つで動作する。第１のワイヤレスモード又は第２のワイヤレスモードのうちの少なくとも一方はＩＥＥＥ８０２．１１、８０２．１１ａ、８０２．１１ｂ、８０２．１１ｇ、及び８０２．１１ｎに準拠する。
【００４０】
本発明のさらなる適用分野が以下提供する詳細な説明から明らかになろう。詳細な説明及び具体例は、本発明の好ましい実施形態を示し、例示に過ぎず、本発明の範囲を限定するものではないことを理解されたい。
【００４１】
本発明は詳細な説明及び添付図面からより完全に理解されよう。
【発明を実施するための最良の形態】
【００４２】
好ましい実施形態（複数可）の以下の説明は単に例示の性質のものであり、本発明、本発明の用途、又は用法を限定するものでは決してない。明確にするために、図面中、同じ参照符号を同様の要素を指すために使用する。本明細書において使用するモジュール及び／又は装置という用語は、１つ又は複数のソフトウェアプログラム又はファームウェアプログラム、組み合わせ論理回路、及び／又は説明する機能を提供する他の適した構成要素を実行する特定用途向け集積回路（ＡＳＩＣ）、電子回路、プロセッサ（共有、専用、又は群）、及びメモリを指す。
【００４３】
これより図２を参照して、本発明によるワイヤレス電話システム５０の機能ブロック図を示す。ワイヤレス電話システム５０は、基地局５２及び１つ又は複数のワイヤレス送受話機５４−１、５４−２、…、及び５４−Ｎ（まとめてワイヤレス送受話機５４）を含む。ワイヤレス送受話器５４のそれぞれは、充電式バッテリ５６−１、５６−２、…、及び５６−Ｎ（まとめてバッテリ５６）を備える。基地局５２は、電話回線２０により電話交換機２４に接続される。基地局５２及びワイヤレス送受話機５４は、後述するように第１のワイヤレスリンク６０及び／又は第２のワイヤレスリンク６２を使用して選択的にワイヤレス通信する。
【００４４】
一実施形態では、基地局５２及びワイヤレス送受話機５４は、ワイヤレス送受話機５４が基地局５２の所定範囲内にある場合に第１のワイヤレスリンクを使用して通信する。第１のワイヤレスリンクはローパワーワイヤレスリンクであり、第２のワイヤレスリンクはハイパワーワイヤレスリンクである、基地局５２及びワイヤレス送受話機５４は、ワイヤレス送受話機５４が基地局５２の所定範囲外にある場合に第２のワイヤレスリンクを使用して通信する。いくつかの実施態様では、範囲は、基地局５２及び／又はワイヤレス送受話機５４が受信する信号パワーに基づいて決定されるが、他の方法を用いることもできる。たとえば、第１のワイヤレスリンクは、９．１４４ｍ（３０フィート）の範囲を有するＢｌｕｅｔｏｏｔｈワイヤレスリンクであることができる。第２のワイヤレスリンクは、９００ＭＨｚ、２．４ＧＨｚ、５．８ＧＨｚ、及び／又は他の動作周波数で動作するワイヤレスリンク等、９．１４４ｍ（３０フィート）を超える範囲を有するハイパワーワイヤレスリンクであることができる。
【００４５】
別の実施形態では、基地局５２及びワイヤレス送受話機５４は、ワイヤレス送受信機５４と基地局５２の間の第１のワイヤレスリンクのデータエラーレートが所定のエラーレート未満である場合に第１のワイヤレスリンクを使用して通信する。基地局５２及びワイヤレス送受話機５４は、ワイヤレス送受信機５４と基地局５２の間の第１のワイヤレスリンクのデータエラーレートが所定のエラーレートを超える場合に第２のワイヤレスリンクを使用して通信する。
【００４６】
これより図３を参照して、図２のワイヤレス電話システムの一実施態様のより詳細な機能ブロック図を示す。基地局５２は、基地局５２の動作を制御する制御モジュール８０を備える。制御モジュール８０は送受信器８２及びアンテナ８４と通信し、第１のワイヤレスモード及び第２のワイヤレスモードを使用して送受話機５４とのワイヤレスリンクを選択的に生成する。制御モジュール８０はまた、キーパッド、マイクロホン、及び／又は他の入力機器等の１つ又は複数の入力機器８６とも直接、又は入出力インタフェース（図示せず）を通して通信する。制御モジュール８０は、スピーカ、ディスプレイ、バックライト、及び／又は他の出力機器等の出力機器８８と直接、又は入出力インタフェース（図示せず）を通して通信する。基地局５２は、揮発性データ及び／又は不揮発性データをそれぞれ記憶するための揮発性メモリ及び／又は不揮発性メモリ９０を備える。基地局５２は、基地局５２を電話回線２０に接続するための回線コネクタ９４も備える。
【００４７】
ワイヤレス送受話機５４は、ワイヤレス送受話機５４の動作を制御する制御モジュール１００を備える。制御モジュール１００は送受信器１０２及びアンテナ１０４と通信し、第１のワイヤレスモード及び／又は第２のワイヤレスモードを使用して送受話機５４とのワイヤレスリンクを選択的に生成する。制御モジュール１００はまた、キーパッド、マイクロホン、及び／又は他の入力機器等の１つ又は複数の入力機器１０６とも直接、又は入出力インタフェース（図示せず）を通して通信する。制御モジュール１００は、スピーカ、ディスプレイ、バックライト、及び／又は他の出力機器等の出力機器１０８と直接、又は入出力インタフェース（図示せず）を通して通信する。ワイヤレス送受話機５４は、送受話機５４の構成要素に給電する充電式バッテリ１１４を備える。
【００４８】
この実施態様では、送受信器８４及び１０２は、第１のワイヤレスモード及び第２のワイヤレスモードの両方で動作可能なデュアルモード送受信器である。送受話機５４が基地局５２の所定範囲内にある場合、第１のワイヤレスモードが使用される。送受話機５４が基地局の所定範囲外にある場合、第２のワイヤレスモードが使用される。第２のワイヤレスモードに代えて第１のワイヤレスモードを使用することにより、送受話機５４は、動作中の消費電力が低減する傾向があり、バッテリを充電してから次に充電するまでの時間が長くなる傾向がある。
【００４９】
これより図４を参照して、基地局５２’及びワイヤレス送受話機５４’のそれぞれは、アンテナ８４Ａ及び８４Ｂ並びに１０４Ａ及び１０４Ｂをそれぞれ有する第１の送受信器８２Ａ及び８２Ｂ並びに第２の送受信器１０２Ａ及び１０２Ｂを備える。ワイヤレス送受信器８２Ａ及び１０２Ａは第１のワイヤレスモードを実施し、ワイヤレス送受信器８２Ｂ及び１０２Ｂは第２のワイヤレスモードを実施する。理解することができるように、ワイヤレス電話システム５０’は複数のワイヤレス送受話機及び／又は基地局を備えることができる。
【００５０】
これより図５Ａ、図５Ｂ、及び図５Ｃを参照すると、基地局５２及び送受話機５４のいずれか一方又は両方がワイヤレスモードを監視し制御することができる。図５Ａでは、基地局５２がマスタモードコントローラであり、送受話機５４がスレーブモードコントローラである。図５Ｂでは、基地局５２がスレーブモードコントローラであり、送受話機５４がマスタモードコントローラである。図５Ｃでは、基地局５２及び送受話機５４がモードコントローラである。モードコントローラは、他方の装置が範囲外にあり、且つ／又はしきい値を超えるデータエラーレートを有することを検知すると、他方のモードに切り替える制御信号を他方の装置に送信する。
【００５１】
ワイヤレスモードセレクタ１４０及び／又は１４８は、基地局５２からの送受話機５４の範囲（及び／又はこの逆）を感知し、送受話機５４及び基地局５２のワイヤレスモードを選択する。別法として、ワイヤレスモードセレクタ１４０及び／又は１４８は、ワイヤレス送受話機５４と基地局５２の間のデータエラーレートを感知し、これに基づいてワイヤレスモードを選択する。理解することができるように、制御モジュール８０及び／又は１００の一方及び／又は両方は、ワイヤレスモードセレクタ１４０及び／又は１４８をそれぞれ備えることができる。一方又は両方が範囲の変化を感知すると、一方又は両方が、他方のワイヤレスモードへの遷移要求を送信することができる。ワイヤレスモードセレクタ１４０及び／又は１４８は、制御モジュール８０及び／又は１００から独立したモジュールとして実施することができる。
【００５２】
これより図６Ａを参照して、範囲に基づく基地局によるワイヤレスモード選択ステップを示すフローチャートを示す。制御はステップ１６０で開始する。ステップ１６４において、制御は送受話機が範囲内にあるか否かを判断する。真の場合、ステップ１６６において、制御は送受話機が第１のワイヤレスモードであるか否かを判断する。真の場合、制御はステップ１６４に戻る。偽の場合、ステップ１６８において、制御は制御信号を送信することによって送受話機を第２のワイヤレスモードに遷移させる。
【００５３】
ステップ１６４が偽の場合、ステップ１７０において、制御は送受話機が第２のワイヤレスモードであるか否かを判断する。偽の場合、ステップ１７２において、制御は、制御信号を送信することによってワイヤレス送受話機を第２のワイヤレスモードに遷移させ、制御はステップ１６４に戻る。ステップ１７０が真の場合、制御はステップ１６４に戻る。
【００５４】
これより図６Ｂを参照して、範囲に基づく送受話機によるワイヤレスモード選択ステップを示すフローチャートを示す。制御はステップ１８０で開始する。ステップ１８４において、制御は基地局が範囲内にあるか否かを判断する。真の場合、ステップ１８６において、制御は基地局が第１のワイヤレスモードであるか否かを判断する。真の場合、制御はステップ１８４に戻る。偽の場合、ステップ１８８において、制御は基地局を第２のワイヤレスモードに遷移させる。
【００５５】
ステップ１８４が偽の場合、ステップ１９０において、制御は基地局が第２のワイヤレスモードであるか否かを判断する。偽の場合、ステップ１９２において、制御は、制御信号を送信することによって基地局を第２のワイヤレスモードに遷移させ、制御はステップ１８４に戻る。ステップ１９０が真の場合、制御はステップ１８４に戻る。
【００５６】
これより図７Ａを参照して、データエラーレートに基づく基地局によるワイヤレスモード制御ステップを示すフローチャートを示す。制御はステップ２００で開始する。ステップ２０４において、制御は第１のワイヤレスモードで電源投入する。ステップ２０８において、制御は送受話機が第２のワイヤレスモードであるか否かを判断する。真の場合、ステップ２１０においてタイマ切れであるか否かを判断する。ステップ２１０が真の場合、制御は再び第１のワイヤレスモードで電源投入し、テストメッセージを送信する。ステップ２１４において、制御は、第１のモードの送受話機のエラーレートが許容できるか否かを判断する。ステップ２１４が真の場合、制御は、第１のワイヤレス送受話機が第１のワイヤレスモードであるか否かを判断する。ステップ２１４が否の場合、ステップ２１８において、制御は第１のワイヤレスモードに遷移させる。
【００５７】
ステップ２０８が偽の場合、制御はステップ２１４にスキップする。ステップ２１０が偽の場合、制御はステップ２１４にスキップする。ステップ２１６が真の場合、制御はステップ２０４に戻る。ステップ２１４が偽の場合、ステップ２２０において、制御は送受話機が第２のワイヤレスモードであるか否かを判断する。真の場合、制御はステップ２０４に戻る。ステップ２２０が偽の場合、ステップ２２４において、制御は第２のワイヤレスモードに遷移させ、ステップ２２６においてタイマをリセットする。
【００５８】
これより図７Ｂを参照して、データエラーレートに基づく送受話機によるワイヤレスモード制御ステップを示すフローチャートを示す。制御はステップ２３０で開始する。ステップ２３４において、制御は第１のワイヤレスモードで電源投入する。ステップ２３８において、制御は、基地局が第２のワイヤレスモードであるか否かを判断する。真の場合、ステップ２４０においてタイマ切れであるか否かを判断する。ステップ２４０が真の場合、制御は再び第１のワイヤレスモードで電源投入し、テストメッセージを送信する。ステップ２４４において、制御は、第１のモードの基地局のエラーレートが許容できるか否かを判断する。ステップ２４４が真の場合、制御は、基地局が第１のワイヤレスモードであるか否かを判断する。否の場合、ステップ２４８において、制御は基地局を第１のワイヤレスモードに遷移させる。
【００５９】
ステップ２３８が偽の場合、制御はステップ２４４にスキップする。ステップ２４０が偽の場合、制御はステップ２４４にスキップする。ステップ２４６が真の場合、制御はステップ２３４に戻る。ステップ２４４が偽の場合、ステップ２５０において、制御は基地局が第２のワイヤレスモードであるか否かを判断する。真の場合、制御はステップ２３４に戻る。ステップ２５０が偽の場合、ステップ２５４において、制御は基地局を第２のワイヤレスモードに遷移させ、ステップ２５６においてタイマをリセットする。
【００６０】
当業者はこれで、本発明の広義の教示を種々の形態で実施できることを上記説明から理解することができる。したがって、本発明について特定の例と併せて説明したが、図面、本明細書、及び添付の特許請求の範囲を研究すれば他の変更が当業者に明らかになることから、本発明の真の範囲は特定の例に限定されない。
【図面の簡単な説明】
【００６１】
【図１】従来技術によるワイヤレス電話システムの機能ブロック図である。
【図２】本発明によるワイヤレス電話システムの機能ブロック図である。
【図３】一実施態様による図２のワイヤレス電話システムのより詳細な機能ブロック図である。
【図４】別の実施態様による図２のワイヤレス電話システムのより詳細な機能ブロック図である。
【図５Ａ】マスタモード制御を有する基地局及びスレーブモード制御を有する送受話機の機能ブロック図である。
【図５Ｂ】マスタモード制御を有する基地局及びスレーブモード制御を有する送受話機の機能ブロック図である。
【図５Ｃ】モード制御を有する基地局及びモード制御を有する送受話機の機能ブロック図である。
【図６Ａ】範囲に基づいたワイヤレスモード選択ステップを示すフローチャートである。
【図６Ｂ】範囲に基づいたワイヤレスモード選択ステップを示すフローチャートである。
【図７Ａ】データエラーレートに基づいてワイヤレスモード選択ステップを示すフローチャートである。
【図７Ｂ】データエラーレートに基づいてワイヤレスモード選択ステップを示すフローチャートである。
【図１】
2006304268.tif 000003
【図２】
2006304268.tif 000004
【図３】
2006304268.tif 000005
【図４】
2006304268.tif 000006
【図５Ａ】
2006304268.tif 000007
【図５Ｂ】
2006304268.tif 000008
【図５Ｃ】
2006304268.tif 000009
【図６Ａ】
2006304268.tif 000010
【図６Ｂ】
2006304268.tif 000011
【図７Ａ】
2006304268.tif 000012
【図７Ｂ】
2006304268.tif 000013
【手続補正書】
【提出日】平成18年4月17日(2006.4.17)
【手続補正１】
【補正対象書類名】特許請求の範囲
【補正対象項目名】全文
【補正方法】変更
【補正の内容】
【特許請求の範囲】
【請求項１】
第１のワイヤレス信号を第１のワイヤレスモードで送受信し、第２のワイヤレス信号を該第１のワイヤレスモードよりも広い範囲及び高い動作パワーを有する第２のワイヤレスモードで送受信するワイヤレス送受信器モジュールと、
該ワイヤレス送受信器モジュールと通信し、該送受話機を前記第１のワイヤレスモードと前記第２のワイヤレスモードの間で切り替える制御モジュールと、
を備える、電話システムのワイヤレス送受話機。
【請求項２】
前記ワイヤレス送受話機の前記制御モジュールは、該ワイヤレス送受話機を前記第１のワイヤレスモードと前記第２のワイヤレスモードの間で選択的に遷移させる、請求項１に記載の電話システムのワイヤレス送受話機。
【請求項３】
前記制御モジュールは、前記ワイヤレス送受信器モジュールが受信するワイヤレスモード制御信号に応答して、前記ワイヤレス送受話機を前記第１のワイヤレスモードと前記第２のワイヤレスモードの間で遷移させる、請求項１に記載の電話システムのワイヤレス送受話機。
【請求項４】
請求項２に記載のワイヤレス送受話機を備えるとともに基地局をさらに備え、該基地局は、該基地局を前記第１のワイヤレスモードと前記第２のワイヤレスモードの間で選択的に遷移させるとともに、前記ワイヤレスモード制御信号を生成する制御モジュールを備える、システム。
【請求項５】
前記ワイヤレス送受話機の前記制御モジュールは、前記基地局と該ワイヤレス送受話機の間のワイヤレス信号強度に基づいて前記第１のワイヤレスモード及び前記第２のワイヤレスモードのうちの一方を動作のために選択する、請求項２に記載の電話システムのワイヤレス送受話機。
【請求項６】
前記基地局の前記制御モジュールは、前記ワイヤレス送受話機と該基地局の間のワイヤレス信号強度に基づいて前記第１のワイヤレスモード及び前記第２のワイヤレスモードのうちの一方を動作のために選択する、請求項４に記載のシステム。
【請求項７】
前記ワイヤレス送受話機の前記制御モジュールは、前記基地局と該ワイヤレス送受話機の間のデータエラーレートに基づいて前記第１のワイヤレスモード及び前記第２のワイヤレスモードのうちの一方を動作のために選択する、請求項２に記載の電話システムのワイヤレス送受話機。
【請求項８】
前記基地局の前記制御モジュールは、前記ワイヤレス送受話機と該基地局の間のデータエラーレートに基づいて前記第１のワイヤレスモード及び前記第２のワイヤレスモードのうちの一方を動作のために選択する、請求項４に記載のシステム。
【請求項９】
前記第１のワイヤレスモードはＢｌｕｅｔｏｏｔｈに準拠する、請求項１に記載の電話システムのワイヤレス送受話機。
【請求項１０】
前記第２のワイヤレスモードは９００ＭＨｚ、２．４ＧＨｚ、及び／又は５．８ＧＨｚのうちの少なくとも１つで動作する、請求項１に記載の電話システムのワイヤレス送受話機。
【請求項１１】
前記第１のワイヤレスモード又は前記第２のワイヤレスモードのうちの少なくとも一方はＩＥＥＥ８０２．１１、８０２．１１ａ、８０２．１１ｂ、８０２．１１ｇ、及び８０２．１１ｎに準拠する、請求項１に記載の電話システムのワイヤレス送受話機。
【請求項１２】
前記ワイヤレス送受信器モジュールは、
前記制御モジュールと通信し、前記第１のワイヤレスモードを使用してワイヤレス信号を送受信する第１の送受信器と、
前記制御モジュールと通信し、前記第２のワイヤレスモードを使用してワイヤレス信号を送受信する第２の送受信器と、
を備える、請求項１に記載の電話システムのワイヤレス送受話機。
【請求項１３】
前記ワイヤレス送受信器モジュールは、前記制御モジュールと通信し、前記第１のワイヤレスモード又は前記第２のワイヤレスモードを使用してワイヤレス信号を選択的に送受信する送受信器を備える、請求項１に記載の電話システムのワイヤレス送受話機。
【外国語明細書】
2006304268.tif 000014
2006304268.tif 000015
2006304268.tif 000016
2006304268.tif 000017
2006304268.tif 000018
2006304268.tif 000019
2006304268.tif 000020
2006304268.tif 000021
2006304268.tif 000022
2006304268.tif 000023
2006304268.tif 000024
2006304268.tif 000025
2006304268.tif 000026
2006304268.tif 000027
2006304268.tif 000028
2006304268.tif 000029
2006304268.tif 000030
2006304268.tif 000031
2006304268.tif 000032
2006304268.tif 000033
2006304268.tif 000034
2006304268.tif 000035
2006304268.tif 000036
2006304268.tif 000037
2006304268.tif 000038
2006304268.tif 000039
2006304268.tif 000040
2006304268.tif 000041
2006304268.tif 000042
2006304268.tif 000043
2006304268.tif 000044
2006304268.tif 000045
2006304268.tif 000046
2006304268.tif 000047
2006304268.tif 000048
2006304268.tif 000049
2006304268.tif 000050
2006304268.tif 000051
2006304268.tif 000052
2006304268.tif 000053
2006304268.tif 000054